(57)【要約】      （修正有）【課題】手間の掛かる宅配小包便包装の方法を簡易化して包装コストを軽減し、多数回使用できるパッケージ方式とするとともに空パッケージの回収再利用を図る。【解決の手段】手間の掛かる宅配小包便包装は送品に合わせた「多回数使用パッケージ」を配達運送業者が利用者に製作貸与するようにする。【選択図】  図１
2006111438.tif 000002
【特許請求の範囲】
【請求項１】
親族先祖間の小包郵便や宅配便などの包装荷作りを、往復多回数使用できるパッケージにより行う親族先祖間互恵配達運送営業システム。
【請求項２】
請求項１の送付内容物の価格を、発送人地または受取人居住地の市価により自動的に配達人が計算し精算できる送付内容物と計算に必要なデータを表示した配達運送営業システム。
【請求項３】
多回数利用者送付物専用の往復多回数パッケージを製作、パッケージの料金は無料で貸与、または低額貸与により固定顧客を確保する配達運送営業システム。
【請求項４】
宅配便小包郵便の空の往復多回数パッケージは必要時まで貸与し、貸与料金回送料金は無料、または宅配小包発受利用度数により計算し減額料金などで回収する配達運送業営業システム。
【発明の詳細な説明】
【技術分野】
【０００１】  本発明は、郵便小包や宅急便の固定顧客開拓と確保の運送業の営業に関するものです。特に親族や先祖間の産直物の多回数利用を開拓する、小包方法を多回数往復使用できるパッケージを制作し顧客発送人に貸与します。
親族や先祖間での産直物などのお礼は、物品がほとんどで金銭精算されていません。これを「お金」による精算システムにし、金銭計量と送金事務の代行、空になったパッケージの回収などを行う配達運送業の物流システムに関するものです。
【背景技術】
【０００２】  従来も現在も郵便小包や宅急便の顧客は、個人企業団体などを対象にしたもので親族間や先祖間の託送小包を対象した営業の活動はされていません。
また、多回数使用のパッケージの使用や貸与回収、配達した託送小包の内容物の金銭計算や送金事務付きの郵便小包も宅配便小包もありません。
なお、本発明の市価による金銭計算データ表示方式の郵便小包も宅配便小包もパッケージもなく、配達運送に関する物流営業システムは行われていません。
【発明が解決しようとする課題】
【０００３】  従来の技術で述べましたが、第一は親族間や先祖間の直産物、農水産物の託送小包便を開拓すること。  第二は、親族間や先祖実家からの託送物は、頂き物「無料」の慣習が根強くあるのでこれを改めること。産地は物によるお礼でなく、お金がほしい。
第三は、第三者による直送物の適正な料金計算と清算方法の確立。配達担当者の事務代行の教育とシステム化。第四は、宅配小包便包装の簡易化と多回数使用できるバッケージ製作と空パッケージの回収と再利用システムの確立です。ゴミ増発の防止課題です。
【課題を解決するための手段】
【０００４】    上記の第一の課題の親族や先祖間便の開拓は、まず「米は先祖の田圃から」のＰＲ先祖の職業と実家のことを忘れていた子孫に「米」だけでも食べてもらう活動をします。
第二の課題は、実家からの「新米」も常食米も市価精算方式とし、配達人が機械的に行うシステムにして、お礼の気遣いを解消し継続配達顧客を確保します。
なお、送付物には物礼精算か金銭精算物かの表示をし精算事務の適正化をします。
第三の適正料金計算の課題は、▲１▼産地人価格精算方式▲２▼受取人地価格精算方式とし、送料支払人は▲１▼の産地人価格精算の場合は…受け取り人負担とし、▲２▼受取人地価格精算の場合は…発送人の負担にします。精算事務は配達人が託送小包に表示された計算データにより代行します。これで親戚ゆえの気遣いの負担が解消できます。
【０００５】  第四の課題は宅配物に合せて布製袋形式パッケージ、折り畳み空袋回収。プラスチック箱形の水産物用など多回数使用便、簡易バンド、チャックなどを使用したパッケージを製作し課題を解決しています。
なおゴミの問題は、多回数何回も使用し何時でも必要なときに空き箱を回収するので資源環境問題の解決に大きな役割を果たします。
【発明を実施するための最良の形態】
【０００６】  発明の実施の形態について、図面により説明します。
図１は、ご先祖、実家と子孫間の託送小包便を一例とした配達運送営業システムの説明図です。Ａはご先祖で生産物の送付依頼人。Ｂは子孫群。または親族で購入者、受取人です。Ｃは配達運送業者で、Ｄは多回数往復使用パッケージ製作業者です。
Ｃの配達運送業者は…Ａのご先祖の生産者に、本発明の配達運送システムを説明して「新米や旬の物産」を、Ｂの子孫や親族に買って頂く営業をします。
なお、営業活動はＣの配達運送業者とＡのご先祖の生産者の合同で行ないます。
図２は、一例として配達運送業者を日本郵政公社とした「多回数往復パッケージ」使用の「親族先祖間託送小包郵便営業システム」の説明図です。
Ａ．は、ご先祖様…産物販売人であり、発送物の依頼人です。
Ｂ．は、ご先祖様の産物購入者で…子孫や親族です。
Ｃ．は、配達運送業者で…この図では日本郵政公社です。
Ｄ．は、多回数パッケージ製作会社です。
丸数字の…▲１▼から▲１４▼は本発明の営業活動実施手順番号と項目です。
【考案の効果】
【０００７】  本発明は上述の通りです。
【０００８】  本発明は、託送小包便を活用した「親族間先祖子孫間の互恵」産直便物流システムで、この確立はご先祖が先祖伝来の田畑で生産した食物ですから安心しで食べられます。市販の食品に疑惑と不安の多い今日、不安を解消できるのでその効果は大きい。
また新鮮な旬の食物を常時気軽に入手できる効果もあります。
【０００９】  本発明の「親族間先祖子孫間の互恵」産直便物流システムは、実家からの託送物は「ただ」無料の頂き物の慣習を変え、継続売買契約者的親族間先祖子孫間の産直便物流システムを構築したことは多大の互恵をもたらします。
【００１０】  また往復利用もでき空パッケージは、折り畳んで回送カードを差し込んでポストに入れれば回送されるシステムの実現。このシステムは産直便に限定する物ではなく郵便小包全般に活用でき、特に固定顧客確保に効果が上げられます。
【００１１】  なお、包装荷造り手数を簡易化した多回数往復使用パッケージは、産直小包やその他の小包を増加させるものと期待できます。
そして、このパッケージは現行の使い捨てではなく、再使用、回収して再々回数使用するのですから、パッケージのコストも低減でき廃棄処理の手数も軽減できます。
このシステムが実現し拡大すれば、資源や環境問題の改善効果が多大で物流革命になると言っても過言ではないと確信します。
【図面の簡単な説明】
【００１２】
【図１】  ご先祖子孫間の託送小包便を一例とした配達運送営業システムの説明図です。
【図２】  一例として配達運送業者を日本郵政公社とした「多回数往復パッケージ」使用の「親族先祖間託送小包郵便営業システム」の説明図です。
【符号の説明】
図１のＡは、ご先祖様…発送物の依頼人。Ｂ．は、ご先祖様の産物購入者…子孫や親族。Ｃ．は、配達運送業者。Ｄ．は、多回数パッケージ製作会社の符号です。
図２のＡはご先祖様…発送物の依頼人。Ｂ．は、ご先祖様の産物購入者…子孫や親族。Ｃ．は、配達運送業者で「日本郵政公社」。Ｄ．は、多回数パッケージ製作会社です。
丸数字の…▲１▼から▲１４▼は本発明の営業活動実施手順番号と項目の符号です。
【図１】
2006111438.tif 000003
【図２】
2006111438.tif 000004